(57)【要約】【課題】機器の検針において、欠測した期間の機器の運転積算時間データを求める。【解決手段】本発明の一態様に係る検針装置１８は、機器を識別するための機器識別データと機器の運転状態を示す状態データと時間データとを関係付けており中央監視装置１によって管理されている履歴データ３を取得する手段１９と、機器の運転積算時間を示す運転積算時間データ１５のうち欠測している期間を受け付ける手段２２と、履歴データ３に基づいて欠測している期間についての運転積算時間を示す欠測データを算出する手段２０と、欠測データを記録する手段２１とを具備する。【選択図】      図１
2005303833.tif 000002
【特許請求の範囲】
【請求項１】
機器を識別するための機器識別データと前記機器の運転状態を示す状態データと時間データとを関係付けており、中央監視装置によって管理されている履歴データを取得する手段と、
前記機器の運転積算時間を示す運転積算時間データのうち、欠測している期間を受け付ける手段と、
前記履歴データに基づいて、前記期間についての運転積算時間を示す欠測データを算出する手段と、
前記欠測データを記録する手段と
を具備する検針装置。
【請求項２】
請求項１記載の検針装置において、
前記取得手段は、所定の周期の経過と再収集要求とのうちの少なくとも一方の発生により、前記履歴データを取得し、
前記算出手段は、前記取得手段によって前記履歴データが取得された後に動作し、
前記記録手段は、前記算出手段によって前記欠測データが算出された後に動作する
ことを特徴とする検針装置。
【請求項３】
請求項１又は請求項２記載の検針装置において、
前記取得手段は、前記欠測データの算出に必要なデータを未だ取得していない場合にのみ前記中央監視装置から前記履歴データを取得する
ことを特徴とする検針装置。
【請求項４】
請求項１乃至請求項３のいずれか１項に記載の検針装置において、
前記運転積算時間データに基づいて前記期間を検出する手段をさらに具備し、
前記算出手段は、前記検出手段によって検出された前記期間について前記欠測データを算出する
ことを特徴とする検針装置。
【請求項５】
コンピュータに、
機器を識別するための機器識別データと前記機器の運転状態を示す状態データと時間データとを関係付けており、中央監視装置によって管理されている履歴データを取得する機能、
前記機器の運転積算時間を示す運転積算時間データのうち、欠測している期間を受け付ける機能、
前記履歴データに基づいて、前記期間についての運転積算時間を示す欠測データを算出する機能、
前記欠測データを記録する機能
を実現させるためのプログラム。
【発明の詳細な説明】
【技術分野】
【０００１】
本発明は、例えば、ガス、水道、電気などの使用量、例えばビルにおける各テナント毎の空調機などの各種機器の運転積算時間を算出する検針装置及びプログラムに関する。
【背景技術】
【０００２】
テナントが入っているビルでは、毎月ガス、水道、電気などのメータに対して検針を行い、テナントごとの使用量を算出し、料金が回収される。また、空調機の運転積算時間を算出し、料金が回収される。
【０００３】
空調機の運転積算時間は、空調機の運転実績を示し、中央監視装置で取り込まれる履歴データを使用して算出される。
【０００４】
図８は、従来の集中検針装置の一例を示すブロック図である。
【０００５】
中央監視装置１は、状態変化検出処理２により空調機などの各種機器の状態変化を検出し、その都度、検出日、時刻、機器番号、機器名称、ＯＮ／ＯＦＦの運転状態をセットし、履歴データ３を記録部４に記録する。
【０００６】
集中検針装置５は、履歴収集処理６、運転時間算出処理７、毎日検針処理８などの一定周期で動作する処理群と、検針管理機能９、空調メンテナンス機能１０などのマンマシン機能群とを具備する。
【０００７】
履歴収集処理６は、６［回／日］動作し、中央監視装置１によって記録された履歴データ３を定期的に収集し、集中検針装置５下の履歴データ１１として記録部１２に書き込む。定期的に履歴データ３を収集する理由は、中央監視装置１で収集している信号点数が多く、状態変化などが多発すると、中央監視装置１の履歴データ３のうち古いデータから消去される可能性があるためである。
【０００８】
運転時間算出処理７は、履歴データ１１と検針管理機能９によって予め設定された時間帯設定データ１３とに基づいて、時間帯別に運転時間の算出を行い、運転実績データ１４、運転積算時間データ１５、機器最終状態データ１６を作成する。
【０００９】
毎日検針処理８は、運転積算時間データ１５を、集中検針データベース１７に登録する処理を行う。
【００１０】
履歴収集処理６、運転時間算出処理７、毎日検針処理８は、この順に起動する必要がある。例えば、履歴収集処理６より先に、運転時間算出処理７が動作すると、正しい運転時間の計算が困難となる。そのため、履歴収集処理６、運転時間算出処理７、毎日検針処理８には、予め起動時間が設定されており、この順に起動される。この集中検針装置５では、１日１回、前日の運転積算時間が算出される。
【００１１】
空調メンテナンス機能１０は、機器別、日単位で、運転実績データ１４を修正することで、運転積算時間データ１５を再計算して集中検針データベース１７を更新し、機器最終状態データ１６も更新する。
【００１２】
図９は、ポイントＮｏ「DI-010101」の空調機の２００３年８月１日の設定時間帯と運転履歴、運転時間算出処理７によって算出された運転積算時間の一例を示す図である。
【００１３】
設定時間帯は、検針管理機能９によって予め設定され、時間帯設定データ１３として保持される。
【００１４】
ポイントＮｏ「DI-010101」の空調機に対する２００３年８月１日の設定時間帯として、時間内（基本時間帯）「8:00〜18:00」、深夜時間帯「24:00〜3:00」「23:00〜24:00」、時間外（その他の時間帯）「3:00〜8:00」「18:00〜23:00」が設定されている。
【００１５】
運転履歴を示す履歴データ１１の内容は、「3:00-OFF，8:30-ON，12:30-OFF，15:30-ON」であるとする。
【００１６】
この設定時間帯と運転履歴とに基づいて、ポイントＮｏ「DI-010101」の空調機に対する２００３年８月１日の運転時間として、時間内「8:30〜12:30」「15:30〜18:00」、深夜時間帯「24:00〜3:00」「23:00〜24:00」、時間外「18:00〜23:00」が求められる。
【００１７】
そして、ポイントＮｏ「DI-010101」の空調機に対する２００３年８月１日の運転積算時間として、時間内（基本時間帯）「６時間３０分」、深夜時間帯「４時間」、時間外（その他の時間帯）「５時間」が求められる。
【００１８】
２００３年７月３１日の機器最終状態データ１６の内容は「”DI-010101”,ON」であるとする。この内容は、ポイントＮｏ「DI-010101」の空調機は、２００３年７月３１日の最終状態がＯＮであったことを表している。
【００１９】
２００３年８月２日に運転時間算出処理７が実行されると、２００３年７月３１日の機器最終状態データ１６、履歴データ１１、時間帯設定データ１３に基づいて、８月１日（前日）の時間帯に動作した運転時間が算出され、２００３年８月１日の運転実績データ１４、運転積算時間データ１５、機器最終状態データ１６が作成される。
【００２０】
図１０は、２００３年８月１日の運転実績データ１４の一例を示す図である。
【００２１】
２００３年８月１日の運転実績データ１４には、ポイントＮｏとＯＮ／ＯＦＦ（運転状態）の切り替え時間とを含む実際の運転履歴が含まれており、さらに日をまたがってＯＮ状態が継続している場合に「”DI-010101”,24:00，ON」が強制的に追加される。これにより、計算の容易化が図られる。
【００２２】
図１１は、２００３年８月１日の運転積算時間データ１５の一例を示す図である。
【００２３】
ポイントＮｏについて、各時間帯別に、分単位で運転積算時間が求められる。
【００２４】
ポイントＮｏ「DI-010101」の空調機における２００３年８月１日の機器最終状態データ１６の内容は「”DI-010101”,ON」となる。この内容は、ポイントＮｏ「DI-010101」の空調機は、２００３年８月１日の最終状態がＯＮであったことを表している。
【特許文献１】特開２０００−４８０４９号公報
【発明の開示】
【発明が解決しようとする課題】
【００２５】
運転積算時間データ１５を作成するためには、毎日の履歴データ３が確実に収集でき、各処理が正常に動作することが必要である。
【００２６】
しかしながら、従来の集中検針装置５を用いた場合、中央監視装置１の不適合、集中検針装置５の不適合、または、集中検針装置５の履歴収集処理６、運転時間算出処理７、毎日検針処理８の不適合など、少なくとも一つの不適合の発生により、運転積算時間データ１５が欠測となる。
【００２７】
このように、運転積算時間データ１５が欠測となった場合には、空調メンテナンス機能１０を使用して、1空調機単位、日単位で、欠測した履歴が手入力で追加され、修正が行われていた。
【００２８】
このため、大きなビルでテナント数が多く、空調機数が多数の場合においては、１日欠測しただけで、データの復旧作業に多大な工数が必要になる場合がある。
【００２９】
本発明は、以上のような実情に鑑みてなされたもので、運転積算時間データを容易に復旧可能な検針装置及びプログラムを提供することを目的とする。
【課題を解決するための手段】
【００３０】
本発明を実現するにあたって講じた具体的手段について以下に説明する。
【００３１】
本発明の実施例に係る検針装置は、機器を識別するための機器識別データと機器の運転状態を示す状態データと時間データとを関係付けており中央監視装置によって管理されている履歴データを取得する手段と、機器の運転積算時間を示す運転積算時間データのうち、欠測している期間を受け付ける手段と、履歴データに基づいて期間についての運転積算時間を示す欠測データを算出する手段と、欠測データを記録する手段とを具備する。
【発明の効果】
【００３２】
本発明においては、検針対象の機器についての運転積算時間データを容易に復旧できる。
【発明を実施するための最良の形態】
【００３３】
以下、図面を参照しながら本発明の実施の形態について説明する。なお、上記各図及び以下の各図において同一の部分については同一の符号を付して説明を省略する。
【００３４】
また、以下の各実施の形態では、検針対象として空調機の場合を例として説明するが、検針対象は他の機器であってもよい。
【００３５】
（第１の実施の形態）
本実施の形態では、例えば空調機などの機器の運転時間又は運転積算時間の再検針要求にしたがって中央監視装置１に対して履歴データ３を再収集要求し、再検針要求にしたがって得られる履歴データ３に基づいて指定期間の運転時間又は運転積算時間を再計算し、運転時間又は運転積算時間を集中検針データベース１７に格納する集中検針装置である。
【００３６】
なお、本実施の形態では、再検針要求にしたがって各処理の再実行を行う場合には、運転積算時間の計算に用いられる中央監視装置１の履歴データ３の中に当日のデータが含まれているとする。
【００３７】
また、以下においては、運転積算時間を求める場合について説明するが、運転時間を求める場合、運転時間と運転積算時間との双方を求める場合についても同様である。
【００３８】
図１は、本実施の形態に係る集中検針装置の一例を示すブロック図である。
【００３９】
本実施の形態に係る集中検針装置１８の履歴収集処理１９、運転時間算出処理２０、毎日検針処理２１、検針管理機能２２は、上記図１０の履歴収集処理６、運転時間算出処理７、毎日検針処理８、検針管理機能９と同様の動作を実行し、さらに本実施の形態独自の動作を実行する。
【００４０】
以下においては、履歴収集処理１９、運転時間算出処理２０、毎日検針処理２１、検針管理機能２２における本実施の形態独自の動作について説明する。
【００４１】
図２は、検針管理機能２２によって表示される空調機運転時間再検針画面の一例を示す図である。
【００４２】
空調機運転時間の再検針を要求するために用いられる空調機運転時間再検針画面２３は、再検針を行う開始日(年月日)の設定部２４、終了日(年月日)の設定部２５、検針開始ボタン２６、検針中止ボタン２７、終了ボタン２８、進行状況表示部２９を含む。
【００４３】
ユーザは、再検針を行いたい期間を、開始日の設定部２４と、終了日の設定部２５に設定し、検針開始ボタン２６を押す。
【００４４】
これにより、再検針の要求が入力される。終了ボタン２８は、本画面２３を終了し、メニューへ戻るためのボタンである。
【００４５】
図３は、検針開始ボタン１０３が押された場合に、検針管理機能２２から各処理１９〜２１に出力される要求のフラグデータの一例を示す図である。
【００４６】
履歴再収集要求フラグ３０は、空調機運転時間再検針画面２３の検針開始ボタン２６が押された場合に、検針管理機能２２から履歴収集処理１９に出力されるフラグである。この履歴再収集要求フラグ３０には、再検針の開始年月日、終了年月日が格納される。空調機運転時間再検針画面２３の検針中止ボタン２７が押された場合又は履歴収集処理１９が完了した場合、履歴再収集要求フラグ３０は削除される。
【００４７】
運転時間再収集要求フラグ３１は、空調機運転時間再検針画面２３の検針開始ボタン２６が押された場合に、検針管理機能２２から運転時間算出処理２０に出力されるフラグである。運転時間再収集要求フラグ３１には、再検針の開始年月日、終了年月日が格納されている。空調機運転時間再検針画面２３の検針中止ボタン２７が押された場合又は運転時間算出処理２０が完了した場合、運転時間再収集要求フラグ３１は削除される。
【００４８】
毎日検針再収集要求フラグ３２は、空調機運転時間再検針画面２３の検針開始ボタン２６が押された場合に、検針管理機能２２から毎日検針処理２１に出力されるフラグである。空調機運転時間再検針画面２３の検針中止ボタン２７が押された場合又は毎日検針処理２１が完了した場合、毎日検針再収集要求フラグ３２は削除される。
【００４９】
以下に、図４〜図６を用いて、各処理１９〜２１について説明する。
【００５０】
図４は、履歴収集処理１９の動作の一例を示すフローチャートである。
【００５１】
ステップＳ１０１において、履歴収集処理１９は、起動待ち処理を実行する。履歴収集処理１９は、通常の定周期起動（指定された時間、例えば６［回／日］）に加えて、再収集要求を入力した場合にも処理を開始する。
【００５２】
再収集要求の有無は、指定のフォルダに、上記図３の履歴再収集要求フラグ３０が存在するか否かにより判断する。
【００５３】
定周期起動又は再収集要求の場合、ステップＳ１０２が実行される。定周期起動又は再収集要求でない場合、ステップＳ１０１が繰り返される。
【００５４】
ステップＳ１０２において、履歴収集処理１９は、履歴再収集要求フラグ３０が存在するか判断し、存在する場合には、再収集要求があったと判断する。
【００５５】
再収集要求があった場合、ステップＳ１０３において、履歴収集処理１９は、履歴再収集要求フラグ３０内に格納されている開始日、終了日を収集要求期間としてセットする。
【００５６】
定周期要求の場合、ステップＳ１０４において、履歴収集処理１９は、前回収集を行った最終日時〜現在を収集要求期間としてセットする。
【００５７】
ステップＳ１０５において、履歴収集処理１９は、中央監視装置１に収集要求期間につての履歴収集要求を行う。
【００５８】
ステップＳ１０６において、履歴収集処理１９は、受信した履歴データ３を、履歴データ１１として記録する。
【００５９】
ステップＳ１０７において、履歴収集処理１９は、再収集要求による動作か判断する。再収集要求による動作でない場合、処理は上記ステップＳ１０１に戻る。
【００６０】
再収集要求による動作の場合、ステップＳ１０８において、履歴収集処理１９は、処理完了を他の処理へ示すため、履歴再収集要求フラグ３０を削除する。
【００６１】
図５は、運転時間算出処理２０の動作の一例を示すフローチャートである。
【００６２】
ステップＳ２０１において、運転時間算出処理２０は、起動待ち処理を実行する。運転時間算出処理２０は、通常の定周期起動（指定された時間、例えば１［回／日］）に加えて、再収集要求を入力した場合にも処理を開始する。
【００６３】
再収集要求の有無は、指定のフォルダに上記図３の運転時間再収集要求フラグ３１が存在するか否かにより判断するとともに、履歴収集処理１９が完了しているか否かにより判断する。履歴収集処理１９が完了したか否かは、履歴再収集要求フラグ３０が削除されているか否かにより判断する。
【００６４】
定周期起動又は再収集要求の場合、ステップＳ２０２が実行される。定周期起動又は再収集要求でない場合、ステップＳ２０１が繰り返される。
【００６５】
ステップＳ２０２において、運転時間算出処理２０は、運転時間再収集要求フラグ３１が存在するか判断し、存在する場合には、再収集要求があったと判断する。
【００６６】
再収集要求があった場合、ステップＳ２０３において、運転時間算出処理２０は、運転時間再収集要求フラグ３１内に格納されている開始日、終了日を収集要求期間としてセットする。
【００６７】
そして、ステップＳ２０４において、運転時間算出処理２０は、収集要求期間における収集済みの運転実績データ１４、運転積算時間データ１５、機器最終状態データ１６を削除する。その後処理はステップＳ２０６に移動する。
【００６８】
定周期要求の場合、ステップＳ２０５において、運転時間算出処理２０は、前回収集を行った最終日時〜現在を収集要求期間としてセットする。その後処理はステップＳ２０６に移動する。
【００６９】
ステップＳ２０６において、運転時間算出処理２０は、収集要求期間分の全ての処理が未実行でありかつ中止要求が受け付けられていないか判断する。
【００７０】
収集要求期間分の処理が未実行でありかつ中止要求が受け付けられていない場合、ステップＳ２０７において、運転時間算出処理２０は、繰り返し演算を行う。
【００７１】
繰り返し演算を行う場合、運転時間算出処理２０は、ステップＳ２０７において、運転時間を算出し、ステップＳ２０８において、新たな運転実績データ１４、運転積算時間データ１５、機器最終状態データ１６を記録する。その後処理は、ステップＳ２０６に戻る。
【００７２】
収集要求期間分の処理が繰り返され、又は中止要求が受け付けられた場合、例えば、空調機運転時間再検針要求画面２３の検針中止ボタン２７が押され、運転時間再収集要求フラグ３１が削除された場合、処理を中止し、繰り返し演算から抜ける。
【００７３】
繰り返し演算から抜けた場合、ステップＳ２０９において、運転時間算出処理２０は、再収集要求による動作か否か判断する。再収集要求による動作ではない場合、処理はステップＳ２０１に戻る。
【００７４】
再収集要求による動作の場合、ステップＳ２１０において、履歴収集処理１９は、処理完了を他の処理へ示すため、運転時間再収集要求フラグ３１を削除する。
【００７５】
図６は、毎日検針処理２１の動作の一例を示すフローチャートである。
【００７６】
ステップＳ３０１において、毎日検針処理２１は、起動待ち処理を行う。毎日検針処理２１は、通常の定周期起動（指定された時間、例えば１［回／日］）に加えて、再収集要求を入力した場合にも処理を開始する。
【００７７】
再収集要求の有無は、指定のフォルダに上記図３の毎日検針再収集要求フラグ３２が存在するか否かにより判断するとともに、履歴収集処理１９、運転時間算出処理２０が共に完了しているか否かにより判断する。履歴収集処理１９が完了したか否かは、履歴再収集要求フラグ３０が削除されているか否かにより判断し、運転時間算出処理２０が完了したか否かは、運転時間再収集要求フラグ３１が削除されているか否かにより判断する。
【００７８】
定周期起動又は再収集要求の場合、ステップＳ３０２が実行される。定周期起動又は再収集要求でない場合、ステップＳ３０１が繰り返される。
【００７９】
ステップＳ３０２において、毎日検針処理２１は、履歴再収集要求フラグ３０が存在するか判断し、存在しない場合には、定周期要求による実行と判断する。
【００８０】
定周期要求の場合、ステップＳ３０３において、毎日検針処理２１は、空調機を除く他のメータ（ガス、水道、電気など）のデータを、集中検針データベース１７に登録する。
【００８１】
再収集要求の場合には、ステップＳ３０３は実行されることなく、処理はステップＳ３０４に移る。
【００８２】
ステップＳ３０４において、毎日検針処理２１は、運転積算時間データ１５を、集中検針データベース１７に登録する。
【００８３】
ステップＳ３０５において、毎日検針処理２１は、再収集要求による動作か否か判断する。再収集要求による動作ではない場合、処理はステップＳ３０１に戻る。
【００８４】
再収集要求による動作の場合、ステップＳ３０６において、毎日検針処理２１は、処理完了を他の処理へ示すため、毎日検針再収集要求フラグ３２を削除する。
【００８５】
検針管理機能２２は、履歴再収集要求フラグ３０、運転時間再収集要求フラグ３１、毎日検針再収集要求フラグ３２の状態を監視し、上記図２の空調機運転時間再検針画面２３の進行状況表示部２９に進行状況を表示する。
【００８６】
検針管理機能２２は、検針開始ボタン２６が押された時点で、再検針開始のメッセージを進行状況表示部２９に表示する。
【００８７】
検針管理機能２２は、履歴再収集要求フラグ３０が削除された時点で、履歴再収集完了のメッセージを進行状況表示部２９に表示する。
【００８８】
検針管理機能２２は、運転時間再収集要求フラグ３１が削除された時点で、運転時間再収集完了のメッセージを進行状況表示部２９に表示する。
【００８９】
検針管理機能２２は、毎日検針再収集要求フラグ３２が削除された時点で、毎日検針完了と再収集終了のメッセージを進行状況表示部２９に表示する。
【００９０】
検針管理機能２２は、上記図２の空調機運転時間再検針画面２３の検針中止ボタン２７が押された場合、履歴再収集要求フラグ３０、運転時間再収集要求フラグ３１、毎日検針再収集要求フラグ３２を削除する。ただし、すでに処理が開始されている場合、その処理は最後まで実行される。
【００９１】
以上説明した本実施の形態に係る集中検針装置１８においては、空調機の運転積算時間の再検針要求にしたがって中央監視装置１によって管理されている履歴データ３が再収集され、履歴データ１１として保持される。
【００９２】
そして、本実施の形態に係る集中検針装置１８においては、履歴データ１１に基づいて、指定期間の運転積算時間が再計算され、指定期間の運転積算時間が集中検針データベース１７に登録される。
【００９３】
これにより、集中検針装置１８に異常が発生した場合、又は集中検針装置１８内の各処理の異常に伴って空調積算時間の欠測が発生した場合であっても、中央監視装置１に履歴データ３が保存されている期間であれば、集中検針データベース１７の既ファイリング済みデータを破壊することなく、現地で安全かつ短時間に、空調機の運転積算時間データ１５を復旧することができる。
【００９４】
本実施の形態では、検針管理機能２２によって空調機運転時間再検針画面２３が表示される。ユーザは、再検針を望む日時を指定する。この指定にしたがって、各処理１９〜２１が順に起動され、中央監視装置１から取得された履歴データ１１に基づいて、空調機の運転積算時間が再計算される。
【００９５】
例えば、ある期間の空調機の運転積算時間データ１５が取得されず、過去数日分欠測したとする。従来においては、機器数について一日単位で修正するため、機器数が多い場合に時間がかかる。
【００９６】
しかしながら、本実施の形態では、欠測した日時にさかのぼって機器の運転積算時間が再計算される。
【００９７】
したがって、迅速かつ容易に機器の運転積算時間を得ることができる。
【００９８】
なお、本実施の形態において、履歴収集処理１９は、空調機の運転積算時間が再検針要求された場合において、計算に用いられる履歴データ１１が集中検針装置１８側に保持済みであれば、この保持済みの履歴データ１１を用いて処理を実行し、履歴データ１１が集中検針装置１８側に未保持の場合にのみ、中央監視装置１に対して履歴データ３の収集要求を行うとしてもよい。
【００９９】
（第２の実施の形態）
本実施の形態では、上記第１の実施の形態の変形例について説明する。
【０１００】
図７は、本実施の形態に係る集中検針装置の一例を示すブロック図である。
【０１０１】
本実施の形態に係る集中検針装置３３は、上記図１の集中検針装置１８と同様であるが、欠測検知処理３４をさらに具備し、上記図１の集中検針装置１８における履歴収集処理１９に代えて履歴収集処理３５を具備する点で異なる。
【０１０２】
欠測検知処理３４は、集中検針データベース１７に記録されている運転積算時間データ１５に欠測期間がないか判断する。
【０１０３】
欠測検知処理３４は、欠測期間がある場合、この欠測期間についての運転積算時間の再検針を履歴収集処理３５に要求する。
【０１０４】
履歴収集処理３５は、上記図１の履歴収集処理１９と同様の処理を実行するとともに、欠測検知処理３４からの再検針の要求にしたがって動作を開始する。
【０１０５】
本実施の形態に係る集中検針装置３３においては、検針処理において欠測が発生した場合に、この欠測が自動的に認識され、自動で運転積算時間を再計算することができる。
【０１０６】
なお、上記各実施の形態において、各構成要素は、同様の動作を実現可能であれば自由に変形可能であり、配置を変更させてもよく、自由に組み合わせることが可能であり、分割することも可能である。
【０１０７】
上記各実施の形態における各処理１９〜２１，３４，３５及び機能１０，２２は、プログラムを読み込んだコンピュータにより実現されるとしてもよい。
【０１０８】
この場合、プログラムは、それぞれ例えば磁気ディスク（フレキシブルディスク、ハードディスク等）、光ディスク（ＣＤ−ＲＯＭ、ＤＶＤ等）、半導体メモリなどの記録媒体に書き込んで、コンピュータに適用可能である。
【０１０９】
また、このプログラムを通信媒体により伝送し、コンピュータに適用することも可能である。コンピュータは、プログラムを読み込み、プログラムによって動作が制御されることにより、各処理１９〜２１，３４，３５及び機能１０，２２としての機能を実現する。
【図面の簡単な説明】
【０１１０】
【図１】本発明の第１の実施の形態に係る集中検針装置の一例を示すブロック図。
【図２】検針管理機能によって表示される空調機運転時間再検針画面の一例を示す図。
【図３】検針開始ボタンが押された場合に、検針管理機能から履歴収集処理、運転時間算出処理、毎日検針処理に出力される要求のフラグデータの一例を示す図。
【図４】履歴収集処理の動作の一例を示すフローチャート。
【図５】運転時間算出処理の動作の一例を示すフローチャート。
【図６】毎日検針処理の動作の一例を示すフローチャート。
【図７】本発明の第２の実施の形態に係る集中検針装置の一例を示すブロック図。
【図８】従来の集中検針装置の一例を示すブロック図。
【図９】空調機の設定時間帯、運転履歴、運転積算時間の一例を示す図。
【図１０】運転実績データの一例を示す図。
【図１１】運転積算時間データの一例を示す図。
【符号の説明】
【０１１１】
１…中央監視装置、２…状態変化検出部、３，１１…履歴データ、４，１２…記録部、５，１８，３３…集中検針装置、６，１９，３５…履歴収集処理、７，２０…運転時間算出処理、８，２１…毎日検針処理、９，２２…検針管理機能、１０…空調メンテナンス機能、１３…時間帯設定データ、１４…運転実績データ、１５…運転積算時間データ、１６…機器最終状態データ、１７…集中検針データベース、２３…空調機運転時間再検針画面、２４，２５…設定部、２６…検針開始ボタン、２７…検針中止ボタン、２８…終了ボタン、２９…進行状況表示部、３０…履歴再収集要求フラグ、３１…運転時間再収集要求フラグ、３２…毎日検針再収集要求フラグ、３４…欠測検知処理
【図１】
2005303833.tif 000003
【図２】
2005303833.tif 000004
【図３】
2005303833.tif 000005
【図４】
2005303833.tif 000006
【図５】
2005303833.tif 000007
【図６】
2005303833.tif 000008
【図７】
2005303833.tif 000009
【図８】
2005303833.tif 000010
【図９】
2005303833.tif 000011
【図１０】
2005303833.tif 000012
【図１１】
2005303833.tif 000013